(57)【要約】【課題】電磁ソレノイドの励磁・消磁制御に伴う揺動部材のスムーズな揺動変位を長期に亘って維持可能とする。【解決手段】球払出装置４０の電磁作動ユニット４３は、電磁ソレノイド６６が配設されると共に、揺動部材６７を揺動可能に支持する支持部材６８と、揺動部材６７を励磁部６６ｂから離間する方向へ常に付勢する引張りコイルバネ６９と、支持部材６８に配設された軸受部８５,８５と、揺動部材６７に設けられて軸受部８５,８５に挿入して支持される揺動支軸９５とを備える。揺動部材６７は、揺動支軸９５を軸受部８５,８５に支持することで、該軸受部８５,８５を介して支持部材６８に揺動可能に支持される。【選択図】図６
2015208417.tif 000002
【特許請求の範囲】
【請求項１】
制御信号に基づいて電磁ソレノイドの励磁部が励磁されるのに伴い、該励磁部に近接するよう揺動部材を揺動させる電磁作動ユニットを備えた遊技機において、
前記電磁作動ユニットは、
前記電磁ソレノイドが配設されると共に、前記揺動部材を揺動可能に支持する支持部材と、
前記揺動部材を前記励磁部から離間する方向へ常に付勢する付勢部材と、
前記支持部材または揺動部材のどちらか一方に配設された軸受部と、
前記支持部材または揺動部材の他方に設けられ、前記軸受部に挿入して支持される支軸部とを備え、
前記支軸部を前記軸受部に支持することで、前記揺動部材が前記支持部材に揺動可能に支持されるよう構成した
ことを特徴とする遊技機。
【請求項２】
前記軸受部が設けられる前記支持部材または揺動部材に、該軸受部に前記支軸部が挿入する方向と異なる方向から嵌合して固定される軸受装着部が設けられ、
前記支軸部が設けられる前記支持部材または揺動部材に、当該支軸部を支持する支軸支持部が設けられている請求項１記載の遊技機。
【請求項３】
前記電磁ソレノイド、支持部材、揺動部材および付勢部材が収容されるケース体を備え、
前記揺動部材には、前記電磁ソレノイドの励磁により前記揺動部材が前記励磁部に接触する前に、前記ケース体に設けられた第２係止部に係脱可能に係合する第１係止部が設けられた請求項１または２記載の遊技機。
【請求項４】
前記電磁ソレノイドにおけるコイル部の外周には、該コイル部を透視可能に構成されたカバー部材が配設されている請求項１〜３の何れか一項に記載の遊技機。
【発明の詳細な説明】
【技術分野】
【０００１】
この発明は、制御信号に基づいて電磁ソレノイドの励磁部が励磁されるのに伴い、該励磁部に近接するよう揺動部材を揺動させる電磁作動ユニットを備えた遊技機に関するものである。
【背景技術】
【０００２】
制御信号に基づいて励磁・消磁制御される電磁ソレノイドを備えた電磁作動ユニットが、様々な装置や機器に採用されている。例えば、パチンコ機やアレンジボール機に代表される遊技機では、当該遊技機の裏側上部に配設された球タンク内に貯留されたパチンコ球を所定数の賞球または貸し球として前側の上球皿または下球皿へ給出する球払出装置に、電磁作動ユニットが採用されている(特許文献１)。この球払出装置は、上下に縦通される球通路(連絡路)を有するケース体の内部に、外周に多数個の球受部を等ピッチで形成配置した爪車状の球送り体が、その球受部を球通路に臨ませた状態で回転可能に配設される。また、ケース体の内部には、球払出し信号(賞球払出し信号や貸球払出し信号)に基づいて励磁・消磁制御される電磁ソレノイドと、該電磁ソレノイドが固定された支持部材に揺動可能に配設された金属製の板状部材である揺動部材(ストッパー)と、該揺動部材を電磁ソレノイドの励磁部から離間する方向へ付勢する付勢部材とからなる電磁作動ユニットが収容され、電磁ソレノイドの励磁・消磁により該揺動部材が球送り体に係合・離脱して、該球送り体の回転を規制および許容するよう構成されている。すなわち、電磁ソレノイドの非通電状態(消磁状態)では、付勢部材の付勢により揺動部材が球送り体に係合して該球送り体が回転規制され、球払出し信号による電磁ソレノイドの通電状態(励磁状態)では、励磁部に吸引されるように揺動部材が揺動変位して球送り体から離脱することで該球送り体の回転が許容される。これにより、球送り体が球通路内のパチンコ球を各球受部に受けながら所定角度に亘り回転されて、予め設定された個数のパチンコ球を賞球または貸球として払出すようになっている。
【先行技術文献】
【特許文献】
【０００３】
【特許文献１】特開２００３−９３６８１号公報
【発明の概要】
【発明が解決しようとする課題】
【０００４】
特許文献１に示すように、球払出装置に採用された従来の電磁作動ユニットは、支持部材に設けられた凹部に対して揺動部材を単に挟み込ませ、該凹部と揺動部材との間に適度の遊びを持たせることにより、該揺動部材が揺動可能に構成されている。このため、電磁ソレノイドの励磁・消磁制御により揺動部材が揺動する際に支持部材と揺動部材とが擦れるようになり、揺動部材の揺動変位が繰り返されると支持部材および揺動部材が擦損してがたつきが大きくなり、揺動部材の安定した揺動変位が長期に亘って維持されなくなる問題がある。また、支持部材および揺動部材が擦れることで鉄粉が生じ易く、電磁ソレノイドの励磁部やコイル部に該鉄粉が付着して該電磁ソレノイドの作動不良や故障が生じることもある。
【０００５】
本発明は、前述した従来の技術に内在している前記課題に鑑み、これを好適に解決するべく提案されたものであって、電磁ソレノイドの励磁・消磁制御に伴う揺動部材のスムーズな揺動変位を長期に亘って維持し得るようにした遊技機を提供することを目的とする。
【課題を解決するための手段】
【０００６】
前記課題を克服し、所期の目的を達成するため、本願の請求項１に係る発明は、
制御信号に基づいて電磁ソレノイド(66)の励磁部(66b)が励磁されるのに伴い、該励磁部(66b)に近接するよう揺動部材(67)を揺動させる電磁作動ユニット(43)を備えた遊技機において、
前記電磁作動ユニット(43)は、
前記電磁ソレノイド(66)が配設されると共に、前記揺動部材(67)を揺動可能に支持する支持部材(68)と、
前記揺動部材(67)を前記励磁部(66b)から離間する方向へ常に付勢する付勢部材(69)と、
前記支持部材(68)または揺動部材(67)のどちらか一方に配設された軸受部(85,85)と、
前記支持部材(68)または揺動部材(67)の他方に設けられ、前記軸受部(85,85)に挿入して支持される支軸部(95)とを備え、
前記支軸部(95)を前記軸受部(85,85)に支持することで、前記揺動部材(67)が前記支持部材(68)に揺動可能に支持されるよう構成したことを要旨とする。
【０００７】
従って、請求項１に係る発明によれば、支持部材または揺動部材のどちらか一方に配設された軸受部に、支持部材または揺動部材の他方に設けられた支軸部を挿入して支持させることで、揺動部材が支持部材に対してがたつきなく支持される。これにより、電磁ソレノイドの励磁・消磁制御に伴って揺動部材の揺動変位が繰り返されても、支持部材と該揺動部材との擦れが生じないので、揺動部材の安定した揺動変位が長期に亘って維持される。また、支持部材および揺動部材が擦れないので鉄粉が生じることがなく、電磁ソレノイドの励磁部やコイル部に該鉄粉が付着することにより該電磁ソレノイドの作動不良や故障が生じることも防止し得る。
【０００８】
請求項２に記載の発明では、
前記軸受部(85,85)が設けられる前記支持部材(68)または揺動部材(67)に、該軸受部(85,85)に前記支軸部(95)が挿入する方向と異なる方向から嵌合して固定される軸受装着部(88,88)が設けられ、
前記支軸部(95)が設けられる前記支持部材(68)または揺動部材(67)に、当該支軸部(95)を支持する支軸支持部(90,90)が設けられていることを要旨とする。
従って、請求項２に係る発明によれば、支持部材または揺動部材のどちらか一方に設けた軸受部に軸受装着部が嵌合して固定されると共に、支持部材または揺動部材の他方に設けた支軸支持部に支持した支軸部を該軸受装着部に挿入することで、支持部材に対して揺動部材を安定して支持させることができる。
【０００９】
請求項３に記載の発明では、
前記電磁ソレノイド(66)、支持部材(68)、揺動部材(67)および付勢部材(69)が収容されるケース体(41)を備え、
前記揺動部材(67)には、前記電磁ソレノイド(66)の励磁により前記揺動部材(67)が前記励磁部(66b)に接触する前に、前記ケース体(41)に設けられた第２係止部(60)に係脱可能に係合する第１係止部(92)が設けられたことを要旨とする。
従って、請求項３に係る発明によれば、電磁ソレノイドを励磁制御した際に、揺動部材に設けられた第１係止部とケース体に設けられた第２係止部とが係合することで、当該揺動部材が電磁ソレノイドの励磁部に勢いよく当接することが回避される。これにより、揺動部材や電磁ソレノイドが振動することが回避され、揺動部材の当接を原因とする電磁ソレノイドの導線が断線することを防止し得る。
【００１０】
請求項４に記載の発明では、
前記電磁ソレノイド(66)におけるコイル部(66a)の外周には、該コイル部(66a)を透視可能に構成されたカバー部材(77)が配設されていることを要旨とする。
従って、請求項４に係る発明によれば、電磁ソレノイドのコイル部をカバー部材により保護し得ると共に、該コイル部の導線の断線有無を容易に確認することができる。
【発明の効果】
【００１１】
本発明に係る遊技機によれば、電磁ソレノイドの励磁・消磁制御に伴う揺動部材のスムーズな揺動変位を長期に亘って維持することが可能である。
【図面の簡単な説明】
【００１２】
【図１】実施例のパチンコ機の正面図である。
【図２】実施例のパチンコ機を、遊技盤を取り外した状態で示す背面図である。
【図３】(ａ)は、蓋部材側の斜め上方から見た球払出装置の斜視図、(ｂ)は、本体部材側の斜め上方から見た球払出装置の斜視図である。
【図４】蓋部材側の斜め上方から見た球払出装置の分解斜視図である。
【図５】本体部材側の斜め上方から見た球払出装置の分解斜視図である。
【図６】(ａ)は、右前斜め上方から見た球払出作動ユニットの斜視図、(ｂ)は、左後斜め上方から見た球払出作動ユニットの斜視図である。
【図７】(ａ)は、球払出作動ユニットの正面図、(ｂ)は、球払出作動ユニットの左側面図、(ｃ)は、球払出作動ユニットの平面図、(ｄ)は、球払出作動ユニットの底面図である。
【図８】(ａ)は、左前斜め上方から見た球払出作動ユニットの分解斜視図、(ｂ)は、右後斜め上方から見た球払出作動ユニットの分解斜視図である。
【図９】(ａ)は、球通路部材の正面図、(ｂ)は、球通路部材の背面図、(ｃ)は、球通路部材の平面図である。
【図１０】(ａ)は、球通路部材の背面図、(ｂ)は、球通路部材の右側面図である。
【図１１】(ａ)は、第１基板および第２基板を分離した球通路部材を右前斜め上方から見た分解斜視図、(ｂ)は、第１基板および第２基板を分離した球通路部材を左後斜め上方から見た分解斜視図である。
【図１２】球払出作動ユニットが球送り体の回転を規制した状態を図３(ａ)のＸ１−Ｘ１線で破断して示す断面図である。
【図１３】球払出作動ユニットが球送り体の回転を規制した状態を図３(ｂ)のＸ２−Ｘ２線で破断して示す断面図である。
【図１４】球払出作動ユニットが球送り体の回転を許容した状態となることで、球送り体の回転により先行のパチンコ球が払出される状態を示す説明断面図である。
【図１５】先行のパチンコ球の払出し完了により、球払出作動ユニットが球送り体の回転を規制した状態となることで、次行のパチンコ球が球送り体により保持されることを示す説明断面図である。
【発明を実施するための形態】
【００１３】
次に、本発明に係る遊技機につき、好適な実施例を挙げて、添付図面を参照しながら以下詳細に説明する。なお、遊技機としては、一般的なパチンコ機１０を例示して説明する。
【実施例】
【００１４】
(パチンコ機)
実施例に係るパチンコ機１０は、図１および図２に示すように、前後に開口する矩形枠状に形成されて遊技店の設置枠台(図示せず)に縦置き姿勢で設置される固定枠としての外枠１１の開口前面側に、遊技盤１４を着脱可能に保持する本体枠としての中枠１２が、開閉および着脱可能に組み付けられている。遊技盤１４の後側には、所定条件の成立を契機として演出用の図柄を変動表示させて図柄変動演出を行う図柄表示装置３０が着脱可能に配設されている。中枠１２の前面側には、遊技盤１４を透視可能に保護する装飾枠としての前枠１３が開閉可能に組み付けられると共に、該前枠１３の下方には、パチンコ球を貯留する下球皿１６が中枠１２に組み付けられる。また、前枠１３の下部位置に、パチンコ球を貯留する上球皿１５が一体的に組み付けられており、前枠１３の開閉に合わせて上球皿１５も一体的に開閉するよう構成される。更に、中枠１２の右下方位置には、該中枠１２に配設された打球発射装置(図示せず)を作動する操作ハンドル１７が設けられており、該操作ハンドル１７の操作により打球発射装置が作動することで、上球皿１５に貯留されたパチンコ球が所定間隔で１球ずつ遊技盤１４に向けて発射されるようになっている。なお、図柄表示装置３０は、各種図柄を表示可能な液晶パネルを収容ケースに収容した液晶式図柄表示装置や、外周面に複数の図柄を配列したドラムを収容ケースに収容したドラム式図柄表示装置や、ドットマトリックス式の表示部を備えた図柄表示装置等、各種図柄を停止および変動表示可能な従来公知の各種の表示装置も採用可能である。
【００１５】
(中枠について)
中枠１２は、図２に示す如く、上側縁をなす上枠体１２ａと、下側縁をなし、打球発射装置等の各種遊技部品を設置する設置部として機能する下枠体１２ｂと、左側縁をなす左枠体１２ｃと、右側縁をなす右枠体１２ｄとから略矩形状に形成されている。そして外枠１１に対して中枠１２は、互いの正面左側の上部および下部に配設されたヒンジ機構１８,１８で横開き開閉および着脱が可能に取り付けられ、正面右側(図２では左側)に設けられた一般的な施錠装置を利用して外枠１１と係合された閉鎖状態に保持される。中枠１２には、４つの枠体１２ａ,１２ｂ,１２ｃ,１２ｄにより前後に開口する遊技盤保持部１２ｅが画成され、該遊技盤保持部１２ｅに遊技盤１４が前方から着脱自在にセット保持される。なお、中枠１２は、上下および左右の各枠体１２ａ,１２ｂ,１２ｃ,１２ｄを一体に形成したものであってもよい。
【００１６】
パチンコ機１０には、図２に示す如く、中枠１２における上枠体１２ａの後側(遊技盤保持部１２ｅの上側)に位置して、設置枠台等に設けられた外部球供給設備(図示せず)から供給されるパチンコ球を貯留する球タンク１９が、左右方向に延在するよう設けられている。中枠１２の下枠体１２ｂの左側上部(遊技盤保持部１２ｅ左側下方)に、上球皿１５および下球皿１６に連通する球通出案内部２０が設けられている。また、中枠１２の左枠体１２ｃの後側(遊技盤保持部１２ｅ左側後方)に、球タンク１９の左部と球通出案内部２０の上部とを連通する球送出路部２１ａを備えた球通路ユニット２１が配設されている。更に、球通路ユニット２１の下部に設けられた設置部２１ｂには後述する球払出装置４０が配設されており、該球払出装置４０の作動により、球タンク１９内から球通路ユニット２１の球送出路部２１ａに供給されたパチンコ球を、上球皿１５または下球皿１６へ給出し得るよう構成されている。球通路ユニット２１の球送出路部は、前後方向に湾曲した蛇行状に形成されて、相当量(例えば２〜３００個程度)のパチンコ球を貯留球として整列した状態で一時的に貯留し得るようになっている。
【００１７】
また、図２に示すように、中枠１２における下枠体１２ｂの裏側には、パチンコ機１０の電源制御を行う電源基板２２、球払出装置４０を制御する払出制御基板２３、中枠１２に設置された打球発射装置を駆動制御する発射制御基板２４、外部端末に接続されるインターフェース基板２５等が配設されている。電源基板２２、払出制御基板２３、発射制御基板２４およびインターフェース基板２５は、遊技盤１４の裏側に配設される主制御基板(図示せず)に配線接続され、この主制御基板からの制御信号に基づいて所定の制御が実行される。なお、電源基板２２、払出制御基板２３および発射制御基板２４は、何れも基板ケースに収容された状態でユニット化され、該基板ケースが下枠体１２ｂの裏側の所定位置に取り付けられる。
【００１８】
(球払出装置)
本実施例のパチンコ機１０では、遊技開始時の「貸球払出し」および遊技中の「賞球払出し」を１つの球払出装置４０で行うよう構成されており、設置部２１ｂには１つの球払出装置４０が配設されている。球払出装置４０は、ケース体４１の内部に球払出作動ユニット(電磁作動ユニット)４３を内蔵しており、前述した払出制御基板２３からの球払出し信号(貸球払出し信号および賞球払出し信号)により作動制御される。なお、球払出装置４０に関する以降の説明において、該球払出装置４０の前後、左右および上下とは、当該球払出装置４０を設置部２１ｂに配設した図２に示す状態、すなわちパチンコ機１０の後側から見た関係で指称するものとする。従って、設置部２１ｂに配設した球払出装置４０の正面が、パチンコ機１０の後方を向いている。
【００１９】
球払出装置４０は、図３〜図５および図１２に示す如く、パチンコ球Ｂの球入口４１ａおよび球出口４１ｂが形成されたケース体４１の内部に、球入口４１ａおよび球出口４１ｂの夫々に整合する球通路４５を画成する球通路部材４２と、球入口４１ａを介して球送出路部から球通路４５に供給されたパチンコ球Ｂを貸球または賞球として球出口４１ｂへ１球ずつ払出す球払出作動ユニット(電磁作動ユニット)４３と、球通路４５を通過するパチンコ球Ｂを検出する検出手段４４とを備えている。球払出作動ユニット４３は、払出制御基板２３からの球払出し信号により作動制御され、球入口４１ａから球通路４５へ供給されたパチンコ球Ｂの払出しを許容または規制し得るよう構成されている。
【００２０】
(ケース体)
ケース体４１は、図３〜図５に示すように、略矩形状をなす有底箱状に形成されて後方に開口する本体部材５０と、本体部材５０の開口を閉塞可能な形状に形成されて該本体部材５０に取り付けられる蓋部材５１とから構成されている。本体部材５０および蓋部材５１は、１本の固定ネジ５２の締結により分離可能に組み付けられ、内部に収容空間が画成された略矩形箱体状に構成される。本体部材５０は、球払出装置４０を設置部２１ｂに取り付けた際にパチンコ機１０の前方に向く底壁５０ａと、該底壁５０ａの外縁から蓋部材５１側へ立設されて枠状をなす側壁５０ｂとを有し、底壁５０ａおよび側壁５０ｂが一体に形成されている。また、蓋部材５１は、球払出装置４０を設置部２１ｂに取り付けた際にパチンコ機１０の後方を向く頂壁５１ａと、該頂壁５１ａの外縁から本体部材５０側へ立設されて枠状をなす側壁５１ｂとを有し、頂壁５１ａおよび側壁５１ｂが一体に形成されている。そして、本体部材５０の側壁５０ｂにより形成される開口端に沿って嵌合凹部５３が形成されると共に、蓋部材５１の側壁５１ｂにより形成される開口端に嵌合凸部５４が形成され、本体部材５０と蓋部材５１とは、嵌合凸部５４および嵌合凹部５３の嵌合による所謂印籠構造によって組み付け可能に構成されている。また、本体部材５０の底壁５０ａの内側および蓋部材５１の頂壁５１ａの内側には、球払出作動ユニット４３の支持部材６８を保持する保持リブ５５,５５が突設されている(図４、図１２参照)。
【００２１】
図４および図５に示すように、本体部材５０の内側における底壁５０ａの略中央部には、固定用支柱５６が開口に向け突設されると共に、該固定用支柱５６の先端には、ネジ孔５６ｂが形成された小径のボス５６ａが突設されている。そして、蓋部材５１の内側における頂壁５１ａの略中央部には、ネジ孔５６ｂと対応する位置に通孔５７が該頂壁５１ａを貫通して開設されており、該通孔５７に外側(前側)から挿通した固定ネジ５２をネジ孔５６ｂに螺挿することで、本体部材５０と蓋部材５１とが固定される。
【００２２】
図４および図５に示すように、本体部材５０の内側における底壁５０ａの右下部位、すなわち固定用支柱５６から右下方に離間した位置に、位置決め用支柱５８が前方の開口に向け突設されている。また、蓋部材５１の内側に、位置決め用支柱５８の先端が整合する位置決め凹部５９が形成されており、位置決め用支柱５８の頂部に突設したボス５８ａが位置決め凹部５９に嵌合することで、本体部材５０と蓋部材５１との位置決めがなされるようになっている。
【００２３】
(係止部)
前述した位置決め用支柱５８には、後述する球払出作動ユニット４３を構成する揺動部材６７が係脱可能に係止するよう構成されている(図１４参照)。底壁５０ａから水平前方に延出する位置決め用支柱５８は、図４および図１２に示すように、延出方向と直交する垂直方向で破断した断面形状が、上下幅より左右幅が大きく、上面および下面が平坦で左面および右面が外方へ凸となる曲面形状をなし、特に左右方向からの外力に対して変形し難く構成されている。そして、位置決め用支柱５８の延出方向において、底壁５０ａとの隣接側および頂壁５１ａとの隣接側には、揺動部材６７に設けられた後述の係止片(第１係止部)９２,９２が係脱可能に係止する係止部(第２係止部)６０,６０が形成されている。これら係止部６０,６０は、左方に向く平坦な係止面を備えている(図１２)。また、図１２および図１４に示すように、位置決め用支柱５８は、該位置決め用支柱５８の下部左側が、仕切壁６１を介して側壁５０ｂに連設されており、撓み変形や曲げ変形が発現し難く構成されている。
【００２４】
(当接部)
図４、図５および図１２に示すように、本体部材５０の内側における底壁５０ａの中央下部、すなわち固定用支柱５６の下方位置に、大径の取付ボス７２が突設されており、球払出作動ユニット４３を構成する後述の球送り体６５が該取付ボス７２に配設されている。取付ボス７２の中央には、球送り体６５を回転自在に支持する支軸７３を固定可能な軸支孔７２ａが形成されている。また、取付ボス７２の右部分には、上下方向へ直線状に延在する平坦な当接部６３が形成されており、揺動部材６７が右方から当接可能になっている。当接部６３は、揺動部材６７の後述する係止姿勢((図１２参照)を規定するもので、当接部６３に当接した状態が揺動部材６７の係止姿勢となり、該揺動部材６７により球送り体６５が回転不能となるようになっている。なお、当接部６３の下方には、揺動部材６７に設けられた係止片９２,９２との干渉を回避する切り欠き６４が形成されている。
【００２５】
本体部材５０は、図４、図５および図１２に示すように、前述した固定用支柱５６、位置決め用支柱５８および仕切壁６１の夫々の配置に基づき、球払出作動ユニット４３の配設位置や球通路部材４２の配設位置が定められている。すなわち、本体部材５０の内部において、固定用支柱５６の右方でかつ位置決め用支柱５８の上方の部分に、球払出作動ユニット４３を構成する支持部材６８、電磁ソレノイド６６および揺動部材６７が配設され、固定用支柱５６の下方に、該球払出作動ユニット４３を構成する球送り体６５が配設され、固定用支柱５６の左方に、球通路部材４２が配設されるよう構成されている。
【００２６】
(球払出作動ユニット)
球払出作動ユニット４３は、球通路４５内のパチンコ球Ｂを１球ずつ払出す球送り体６５と、払出制御基板２３からの球払出し信号に基づいて励磁・消磁制御される作動手段としての電磁ソレノイド６６と、電磁ソレノイド６６の励磁・消磁制御に伴い揺動変位して球送り体６５との係脱により該球送り体６５の回転を規制または許容する揺動部材６７と、電磁ソレノイド６６および揺動部材６７が配設される支持部材６８と、揺動部材６７を球送り体６５に係止した係止姿勢に付勢する付勢手段としての引張りコイルバネ６９とを備えている。この球払出作動ユニット４３は、電磁ソレノイド６６の非励磁時では、引張りコイルバネ６９の付勢力により揺動部材６７を係止姿勢(図１２、図１４参照)に保持して球送り体６５に係止させることで、該球送り体６５の回転が規制されてパチンコ球Ｂの払出しを規制する。また、球払出作動ユニット４３は、電磁ソレノイド６６の励磁制御時では、電磁ソレノイド６６の励磁部６６ｂが励磁することで発生する磁力により揺動部材６７を係止解除姿勢(図１４参照)に揺動させ、該揺動部材６７と球送り体６５との係止を解除させることで、該球送り体６５の回転が許容されてパチンコ球Ｂの払出しを許容する。
【００２７】
(球送り体)
球送り体６５は、図４、図５、図１２および図１４に示すように、外周に形成した複数(実施例では６つ)の区画爪部７０により、周方向に均等に並んだ複数(実施例では６つ)の球受部７１を備えている。各球受部７１は、周方向へ隣接する区画爪部７０,７０の間において球送り体６５の中心側へ凹む円弧状をなし、１つのパチンコ球Ｂが整合可能となっており、球送り体６５はスプロケット状をなしている。そして球送り体６５は、本体部材５０における底壁５０ａに設けられた大径の取付ボス７２に立設固定された支軸７３に回転自在に支持されて、各球受部７１を球通路部材４２に形成された球送り体配設口(第１開口部)１０７から球通路４５内へ臨むように配設される。これにより、球送り体６５は、球通路４５内を流下するパチンコ球Ｂを各球受部７１で１個ずつ受けながら回転することで、該パチンコ球Ｂの払出しを可能とする(図１４参照)。また、球送り体６５は、揺動部材６７により回転規制された状態では、球通路４５内へ延出した区画爪部７０にパチンコ球Ｂが引っ掛かることにより、球通路４５内からの該パチンコ球Ｂの払出しを規制するようになっている(図１２参照)。なお、球送り体６５は、比較的硬質でかつ耐摩耗性に優れた合成樹脂(例えばポリアセタール等)から形成されている。
【００２８】
(電磁ソレノイド)
電磁ソレノイド６６は、図６〜図８に示すように、芯部(図示せず)の両端にフランジ部７５ａ,７５ｂを備えた本体７５の該芯部に導線７６を所定回数巻き付けて形成されたコイル部(ボビンともいう)６６ａと、コイル部６６ａの一方の端面(一方のフランジ部７５ａ)に設けられ、導線７６への通電時に該コイル部６６ａに発生した励磁力が集中的に作用して励磁する励磁部６６ｂとを備えている。電磁ソレノイド６６は、コイル部６６ａの導線７６に接続された配線７８を介して払出制御技班２３に電気的に接続されている。そして、電磁ソレノイド６６は、払出制御基板２３からの球払出し信号に基づいてコイル部６６ａの導線７６に通電すると、該コイル部６６ａの励磁により励磁した励磁部６６ｂに磁力が発生する。また、電磁ソレノイド６６は、コイル部６６ａの導線７６に通電しないと、該コイル部６６ａが励磁しないので励磁部６６ｂに磁力が発生しない。このような電磁ソレノイド６６は、コイル部６６ａにおける他方の端面(本体７５の他方のフランジ部７５ｂ)を支持部材６８の固定部８０に対向させ、該フランジ部７５ｂに突設されたボスを固定部８０にかしめることで該固定部８０に固定される。
【００２９】
(カバー部材)
電磁ソレノイド６６のコイル部６６ａの外周には、図６および図７に示すように、カバー部材７７が配設されている。このカバー部材７７は、透明または半透明なフィルム材から形成されている。ここで、電磁ソレノイド６６は、励磁・消磁制御に伴って揺動部材６７が揺動する際に振動が発生すると、コイル部６６ａを形成する導線７６が適宜位置で断線することがあり得る。そこで、実施例の電磁ソレノイド６６では、カバー部材７７が透明または半透明であることで、コイル部６６ａを形成する導線７６がカバー部材７７を配設した状態のままで視認可能となっており、該導線７６の断線有無を蓋部材５１を取り除くことなく適時に容易に確認可能となっている。なお、図６〜図８では、カバー部材７７を介して透視される導線７６は図示していない。
【００３０】
(支持部材)
支持部材６８は、図６〜図８に示すように、正面視においてＬ字状に折曲した板状部材であり、電磁ソレノイド６６を固定する固定部８０と、該固定部８０の一縁から立ち上がった支持部８１とを備えている。支持部材６８は、固定部８０が上下方向に延在すると共に、支持部８１が該固定部８０の上方から左方へ延出した姿勢で、ケース体４１の本体部材５０に設置され、前述した保持リブ５５で位置決め保持される。固定部８０は、略正方形の平板状をなし、前後方向の幅および上下方向の幅が電磁ソレノイド６６のコイル部６６ａの直径と略同じ寸法となっている。固定部８０の略中央には、電磁ソレノイド６６に設けられたボスを挿通してかしめることで、当該電磁ソレノイド６６を該固定部８０に固定するための係止孔８２が開設されている。そして、固定部８０と支持部８１との折曲部には、該固定部８０に連設されると共に支持部８１を挟んで該固定部８０と反対側(上方)へ延出する第１掛止部８３が形成されている。この第１掛止部８３には、前述した付勢手段としての引張りコイルバネ６９の一端である第１フック部９８が掛止されるようになっている。なお、実施例の支持部材６８は、金属製の板状部材を折り曲げて形成したものであり、固定部８０、支持部８１および第１掛止部８３が一体に形成されている。
【００３１】
支持部８１は、前後方向の幅が固定部８０と略同じで、固定部８０からの立ち上がり長さ(左右方向の幅)が、電磁ソレノイド６６における両フランジ部７５ａ,７５ｂ間の距離(電磁ソレノイド６６の高さ寸法)より長く設定されている。
【００３２】
(軸受部)
支持部材６８の支持部８１には、図５〜図７に示すように、揺動部材６７を揺動可能に支持する軸受部８５,８５が設けられている。夫々の軸受部８５,８５は、支持部８１を挟んで両側(実施例では支持部８１を挟んで前後)に夫々設けられており、揺動部材６７の前側および後側に位置している。軸受部８５,８５は、支持部８１の前端および後端に連設されて電磁ソレノイド６６側へ折曲され、該支持部８１を挟んで前後方向で対向すると共に、支持部８１の先端(左端)よりも左方へ延出した形状に形成されている。そして、夫々の軸受部８５,８５における支持部８１から左方へ延出した部分は、上方へ突出した略円形状に形成されており、夫々の軸受部８５,８５における該延出部分には、前後に貫通する支持孔８６,８６が前後方向に整列して開設されている。
【００３３】
夫々の軸受部８５,８５は、図５〜図８に示すように、スリット８７が形成されて、支持孔８６は該スリット８７を介して左方へ開口している。すなわち、夫々の軸受部８５,８５の左部は、正面視において逆Ｃ字状に形成されている。ここで、夫々のスリット８７,８７の開口幅は、揺動部材６７に配設される揺動支軸(支軸部)９５の直径以上で、かつ支持孔８６の直径より小さく設定されている。これにより、揺動支軸９５は、軸受部８５,８５の左方から夫々のスリット８７,８７に対し径方向から挿通させることで、該揺動支軸９５の両端部分を支持孔８６,８６内へ挿入することが可能となっている(図８参照)。
【００３４】
(軸受部材)
夫々の支持孔８６,８６には、図６および図７に示すように、軸受部材(軸受装着部)８８,８８が嵌合されるようになっている。夫々の軸受部材８８,８８は、内径が揺動支軸９５の外径と合致すると共に、外径が軸受部８５の支持孔８６の内径に合致する円筒状部材であり、軸方向の一端には、径方向外方へ延出するフランジ８８ａが設けられている。フランジ８８ａの外径は、軸受部８５の支持孔８６の内径より大きくなっている。このような軸受部材８８は、軸受部８５に対する揺動支軸９５の挿入方向と異なる方向から、支持孔８６に嵌合して軸受部８５に固定されるようになっている。すなわち、支持部８１の前側に設けられた軸受部８５の支持孔８６に対しては、軸受部材８８が前方から嵌合して固定されるようになっており、該支持孔８６に対する該軸受部材８８の嵌合時に、揺動支軸９５の前端部分が該軸受部材８８に挿入される。また、支持部８１の後側に設けられた軸受部８５の支持孔８６に対しては、軸受部材８８が後方から嵌合して固定されるようになっており、該支持孔８６に対する該軸受部材８８の嵌合時に、揺動支軸９５の後端部分が該軸受部材８８に挿入される。そして、夫々の軸受部８５の支持孔８６に固定された軸受部材８８の外径がスリット８７の開口幅より大きいことにより、夫々の軸受部材８８,８８に前後端部分が支持された揺動支軸９５は、スリット８７を介して左方への取り外しが不能となる。
【００３５】
支持部８１の後側に設けられた軸受部８５の支持孔８６に固定された軸受部材８８は、該軸受部材８８のフランジ８８ａが本体部材５０の底壁５０ａの内側に接触すると共に、支持部８１の前側に設けられた軸受部８５の支持孔８６に固定された軸受部材８８は、該軸受部材８８のフランジ８８ａが蓋部材５１の頂壁５１ａの内側に接触するよう構成されている。これにより、支持部材６８は、球払出作動ユニット４３をケース体４１内に収容した状態において、夫々の軸受部８５,８５に固定された軸受部材８８,８８を介して本体部材５０および蓋部材５１で前後から挟持される。従って、球払出作動ユニット４３の作動時に揺動部材６７の揺動変位しても、ケース体４１内で支持部材６８のがたつきが防止され得るよう構成されている。
【００３６】
(揺動部材)
揺動部材６７は、図６〜図８に示すように、板状に形成された磁性を有する部材であって、電磁ソレノイド６６の励磁部６６ｂに対向した状態で、支持部材６８の支持部８１に対し揺動可能に支持されている。実施例の揺動部材６７は、金属製の板状部材から成形されており、励磁部６６ｂが励磁されて磁力が発生した際に該励磁部６６ｂに吸引されることで揺動する。揺動部材６７は、支持部材６８の支持部８１を挟んで、電磁ソレノイド６６の配設側から該電磁ソレノイド６６の配設側と反対側まで延出しており、該揺動部材６７の上下方向の長さは、支持部材６８の固定部８０の上下方向の長さより長くなっている。すなわち揺動部材６７は、電磁ソレノイド６６に対向する位置から、両軸受部８５,８５を間を介して、前述した第１掛止部８３と左右に対向する位置まで延在している。より具体的に、揺動部材６７の前後方向の幅は、両軸受部８５,８５の前後方向の間隔より僅かに小さく、かつ前述した球送り体６５の前後方向の幅より大きく設定されている。
【００３７】
(当接縁)
揺動部材６７における揺動端である下縁は、球送り体６５に係脱可能に係止する当接縁(当接部)６７ａとなっている。当接縁６７ａは、揺動部材６７が係止姿勢において球送り体６５の区画爪部７０に当接して係止可能となっていると共に(図１２、図１５参照)、電磁ソレノイド６６の励磁による揺動部材６７の係止解除姿勢において球送り体６５の区画爪部７０から離間して係止が解除可能となっている(図１４参照)。そして、球送り体６５が係止姿勢に保持されて当接縁６７ａが区画爪部７０に係止すると、球送り体６５に対して球通路４５に供給されたパチンコ球Ｂによる押下げ力が作用しても該球送り体６５の回転が規制される。また、球送り体６５が係止解除姿勢に変位すると共に保持されて当接縁６７ａが区画爪部７０から離間すると、球送り体６５の自由回転が許容されて、パチンコ球Ｂによる押下げ力による球送り体６５の回転が可能となる。
【００３８】
(軸固定部)
揺動部材６７は、図６〜図８に示すように、前縁および後縁における軸受部８５,８５と対向する位置に、支持部材６８と反対側(実施例では左方)へ突出する支軸支持部９０,９０が形成されている。夫々の支軸支持部９０,９０は、前後方向において対向しており、揺動支軸９５が挿通して固定可能な軸支孔９１,９１が、前後に整列して開設されている。そして、夫々の支軸支持部９０,９０は、軸支孔９１,９１に挿通させた揺動支軸９５を、前方の支軸支持部９０から前方への延出長および後方の支軸支持部９０から後方への延出長が同じ状態で揺動部材６７に固定するようになっている。すなわち、揺動支軸９５は、その前端部分および後端部分が揺動部材６７から前後方向へ夫々突出した状態で、該揺動支軸９５に対して軸回りの回転が不能に固定されている。
【００３９】
(揺動支軸)
揺動支軸９５は、図６および図７に示すように、両軸受部８５,８５における離間距離(前方の軸受部８５の前面から後方の軸受部８５の後面までの前後方向の距離)と略同じ長さで、かつ支軸支持部９０,９０の軸支孔９１,９１の内径と同じ外径の丸棒状の部材である。また、揺動支軸９５の外径は、前述した軸受部材８８の内径と同じに設定されている。従って、揺動部材６７の夫々の支軸支持部９０,９０に架設して固定された揺動支軸９５は、軸受部８５,８５のスリット８７,８７を介して支持孔８６,８６に位置させた状態で、前述した軸受部材８８,８８を夫々の軸受部８５,８５の支持孔８６,８６に夫々嵌合させることで、軸受部８５,８５間に支持される。そして、揺動支軸９５は、両軸受部８５,８５に嵌合された夫々の軸受部材８８,８８に接触した状態で、揺動部材６７を揺動自在に支持する。
【００４０】
揺動支軸９５により支持部材６８の夫々の軸受部８５,８５の間に揺動可能に支持された揺動部材６７は、電磁ソレノイド６６が固定された該支持部材６８をケース体４１の本体部材５０への取り付ける前において、次の範囲内で揺動変位が可能となっている。すなわち、揺動部材６７は、電磁ソレノイド６６から離間する方向へ揺動して支持部材６８における支持部８１の先端に当接した姿勢と、電磁ソレノイド６６に近接する方向へ揺動して該電磁ソレノイド６６の励磁部６６ｂに当接した姿勢との間を揺動可能となっている。但し、揺動部材６７は、支持部材６８をケース体４１の本体部材５０への取り付けた状態においては、前述した当接部６３に当接した係止姿勢(図１２参照)および後述の係止片９２が係止部６０に当接した係止解除姿勢(図１４参照)の間で揺動可能となっている。すなわち、揺動部材６７は、支持部８１の先端および電磁ソレノイド６６の励磁部６６ｂに当接しない範囲内で揺動変位するよう構成されている。
【００４１】
(係止片)
揺動部材６７には、図６〜図８に示すように、当接縁６７ａをなす下端に、当接縁６７ａに隣接した係止片(第１係止部)９２が設けられている。この係止片９２は、電磁ソレノイド６６の励磁制御に伴い励磁した励磁部６６ｂ側へ揺動部材６７が揺動した際に、当該揺動部材６７が該励磁部６６ｂに接触する前に前述した係止部６０に係止するように形成されている。そして、図１４に示すように、電磁ソレノイド６６の励磁制御時に、係止片９２と係止部６０とが係止する位置で揺動部材６７が停止すると、該揺動部材６７の当接縁６７ａと球送り体６５との係止が解除されて、該球送り体６５の回転が許容されるよう構成されている。実施例の係止部６０は、揺動部材６７の下端において当接縁６７ａから下方へ延出して設けられている。また実施例では、当接縁６７ａを挟んだ両側に夫々係止片９２,９２を備えており、夫々の係止片９２,９２は、前述した位置決め用支柱５８に設けられた夫々の係止部６０,６０に対応して設けられている。
【００４２】
なお、夫々の係止片９２,９２は、図６〜図８に示すように、位置決め用支柱５８に設けられた係止部６０,６０との位置関係から、揺動部材６７の下端から電磁ソレノイド６６と反対側へ斜めに延在するよう形成されていると共に、該係止片９２の下縁部が、揺動部材６７と同じ向きとなるように曲がった形状をなしている。これにより、電磁ソレノイド６６の励磁部６６ｂの励磁により、夫々の係止片９２,９２が対応の係止部６０,６０に係止した際には、図１４に示すように、揺動部材６７が励磁部６６ｂ側へ傾斜して該励磁部６６ｂに当接直前の係止解除姿勢となるように設定され、これにより当接縁６７ａと球送り体６５との係止が解除されるよう構成されている。
【００４３】
(第２掛止部)
揺動部材６７は、図６〜図８に示すように、上縁から上方へ延出する第２掛止部９３を備えている。第２掛止部９３は、支持部材６８に設けられた第１掛止部８３と左右方向において対向する位置に設けられている。第２掛止部９３には、引張りコイルバネ６９の他端に設けられた第２フック部９９が掛止される。
【００４４】
(引張コイルバネ)
引張りコイルバネ６９は、図６〜図８および図１２に示すように、所要径のバネ鋼材を所要の巻き径および巻き数で成形した巻線部９７と、該巻線部９７の一端に形成された第１フック部９８と、該巻線部９７の他端に形成された第２フック部９９とを備えている。引張りコイルバネ６９は、第１フック部９８を支持部材６８の第１掛止部８３に掛止させると共に、第２フック部９９を揺動部材６７の第２掛止部９３に掛止させることで、本体部材５０の支持部８１における電磁ソレノイド６６の配設側と反対側において、該支持部８１に沿って左右方向へ長手方向が向いた姿勢で配設される。なお、第１掛止部８３および第２掛止部９３に架設された引張りコイルバネ６９は、揺動部材６７が前述した係止姿勢となっている状態においても巻線部９７が伸張的に弾性変形する自然長さのものが採用されている。これにより、揺動部材６７は、引張りコイルバネ６９の付勢力により、電磁ソレノイド６６の非励磁時においては係止姿勢に弾力的に保持される。また、揺動部材６７は、電磁ソレノイド６６の励磁部６６ｂの励磁制御時において、励磁した該励磁部６６ｂに発生する磁力により引張りコイルバネ６９の付勢力に抗して係止解除姿勢に向けて姿勢変位するようになっている。
【００４５】
(球通路部材)
球通路部材４２は、図４、図５、図９〜図１３に示すように、ケース体４１に形成された球入口４１ａおよび球出口４１ｂの夫々に整合し、パチンコ球Ｂが通過可能な球通路４５が内部に画成された樋部１００と、第１基板１３５を収容して保持する基板収容部である第１基板収容部(第１の基板収容部)１０１と、第２基板１４５を収容して保持する基板収容部である第２基板収容部(第２の基板収容部)１０２とを備えている。また、球通路部材４２は、固定用支柱５６に係合する第１保持部１０３を備えると共に、位置決め用支柱５８に当接する第２保持部１０４とを備えている。実施例の球通路部材４２は、樋部１００、第１保持部１０３および第２保持部１０４が一体に形成されると共に、第１基板収容部１０１の一部(第１枠壁１１０)および第２基板収容部１０２の一部(第２枠壁１２０)が樋部１００に一体に形成されている。また、第１基板収容部１０１および第２基板収容部１０２は、樋部１００において、球通路４５を挟んで対向する両側部に夫々設けられている。なお、球通路部材４２は、例えばカーボンブラックを混入した導電性樹脂から形成されている。これにより、球通路部材４２は、球通路ユニット２１に設けられたアース回路に接触することで、静電気を帯電したパチンコ球Ｂが接触しても静電気が帯電し難くなっており、第１基板収容部１０１に収容された第１基板１３５および第２基板収容部１０２に収容された第２基板１４５が静電気の影響を受けることを防止し得るようになっている。
【００４６】
(第１基板)
ここで、第１基板収容部１０１に収容される第１基板１３５は、図９〜図１１および図１３に示すように、上下方向に細長い矩形状に形成されており、その表面１３５ａに、球通路４５を通過するパチンコ球Ｂを検知する検出手段４４における複数(実施例では２つ)の第１検出手段１３６,１３７と、当該第１基板１３５と払出制御基板２３とを電気的に接続する配線(図示せず)が接続される第１配線接続端子(配線接続部)１３８とを備えている。実施例の検出手段４４は、発光素子と受光素子を組合せた小型の電子部品で、発光素子からの光が検出物体であるパチンコ球Ｂによって変化(有無、強弱)したのを受光素子で検知して電気信号を出力する非接触センサであるフォトセンサである。そして、第１検出手段１３６,１３７は、第１基板１３５の表面１３５ａから立ち上がった姿勢で該第１基板１３５に実装される発光素子としてのＬＥＤであり、第１基板１３５を第１基板収容部１０１に収容保持した状態で、パチンコ球Ｂの直径と略同じ間隔で球通過方向(上下方向)に離間して配設されている。なお、以降の説明において、上方に配設された第１検出手段１３６を「第１上検出手段」、該第１上検出手段１３６の下方に配設された第１検出手段１３７を「第１下検出手段」と指称する場合がある。また、第１配線接続端子１３８は、第１基板１３５の表面１３５ａに沿う方向へ向いた姿勢で実装されており、図示しない配線の接続端子が該表面１３５ａに沿う方向から接続可能となっている。
【００４７】
(第２基板)
第２基板収容部１０２に収容される第２基板１４５は、図９〜図１１および図１３に示すように、上下方向に細長い矩形状に形成されており、その表面１４５ａに、検出手段４４における複数(実施例では２つ)の第２検出手段１４６,１４７と、当該第２基板１４５と払出制御基板２３とを電気的に接続する配線(図示せず)を接続する第２配線接続端子(配線接続部)１４８とを備えている。そして、実施例の第２検出手段１４６,１４７は、第１検出手段１３６,１３７からの光を受光する受光素子としてのトランジスタであり、第２基板１４５を第２基板収容部１０２に収容保持した状態で、前述した夫々の第１検出手段１３６,１３７と、球通路４５を挟んで前後に対向する位置に配設されている。なお、以降の説明において、上方に配設されて第１上検出手段１３６と対をなす第２検出手段１４６を「第２上検出手段」、下方に配設されて第１下検出手段１３７と対をなす第２検出手段１４７を「第２下検出手段」と指称する場合がある。また、第２配線接続端子１４８は、第２基板１４５の表面１４５ａに沿う方向へ向いた姿勢で実装されており、図示しない配線の接続端子が該表面１４５ａに沿う方向から接続可能となっている。
【００４８】
実施例の検出手段４４では、図１２および図１３に示すように、対をなす第１上検出手段１３６および第２上検出手段１４６が、球通路４５内において球送り体６５で直接保持されているパチンコ球Ｂに対向する位置に、該球通路４５を挟んで前後に位置するよう対向して配置される。従って、球送り体６５により直接保持されているパチンコ球Ｂがない場合には、発光素子である第１上検出手段１３６から発せられた光が受光素子である第１上検出手段１３６で受光され、球送り体６５により直接保持されているパチンコ球Ｂがある場合には、第１上検出手段１３６から発せられた光が当該パチンコ球Ｂで遮断されて第１上検出手段１３６で受光されないようになる。すなわち、第１上検出手段１３６および第２上検出手段１４６は、球通路４５内に供給されている払出し前のパチンコ球Ｂの存在を検出するものである。一方、対をなす第１下検出手段１３７および第２下検出手段１４７は、球通路４５内において球送り体６５で直接保持されているパチンコ球Ｂより下方の位置(球送り体６５の回転中心と略同じ高さ位置)に、球通路４５を挟んで前後に位置するよう対向して配置される。従って、球送り体６５の回転により払出されるパチンコ球Ｂがない場合(球送り体６５によりパチンコ球Ｂが保持されている場合)は、発光素子である第１下検出手段１３７から発せられた光が受光素子である第２下検出手段１４７で受光され、球送り体６５が回転してパチンコ球Ｂが払出される場合(図１４参照)には、第１下検出手段１３７から発せられた光が当該パチンコ球Ｂで遮断されて第２下検出手段１４７で受光されないようになる。すなわち、第１下検出手段１３７および第２下検出手段１４７は、球送り体６５の回転により払出されるパチンコ球Ｂを検出するものである。
【００４９】
(樋部)
樋部１００は、図９〜図１３に示すように、球入口４１ａおよび球出口４１ｂが上下方向に整列して設けられていることで、球通路部材４２をケース体４１内に配設した状態において、該ケース体４１内で上下方向へ垂直かつ直線に延在するように形成されている。樋部１００は、上下方向に沿う長手方向と直交する短手方向における外側形状が矩形をなす角筒状をなすと共に、短手方向における内側形状が略六角形をなしている。樋部１００は、上開口１０５の上縁に球入口４１ａに整合するよう上方へ突出した上係合突縁１０５ａが形成されていると共に、下開口１０６の下縁に球出口４１ｂに整合するよう下方へ突出した下係合突縁１０６ａが形成されており、上係合突縁１０５ａを球入口４１ａに嵌合させることで該球入口４１ａと上開口１０５とが上下に整合すると共に、下係合突縁１０６ａを球出口４１ｂに整合させることで該球出口４１ｂと下開口１０６とが上下に整合するようになる。
【００５０】
(球送り体配設口)
樋部１００における球送り体６５に臨む壁部には、図９(ｂ)、図１０(ｂ)、図１２および図１３に示すように、該球送り体６５を球通路４５内へ臨ませる球送り体配設口１０７が開設されている。球送り体配設口１０７は、回転する球送り体６５の回転領域に合わせて、樋部１００の右壁１００ａから球通路４５の中央へ凹となる円弧状に形成されている。すなわち、球送り体配設口１０７は、球送り体６５の区画爪部７０と僅かな隙間が画成されるよう形成されている。ここで、球送り体６５は、球通路４５に対して、球送り体６５の区画爪部７０の先端が球通路４５の中央近くまで突出すると共に、該球送り体６５の球受部７１の底部(球送り体６５の径方向において中心側へ最も凹んだ位置)が該球通路４５の右内側壁面と略一致する位置関係で配設される。これにより、球送り体６５が揺動部材６７により回転規制された状態(図１２参照)では、該球送り体６５の区画爪部７０が球通路４５内へ突出して、該区画爪部７０と球通路４５の左内側壁面との間がパチンコ球Ｂの直径より狭くなることで、パチンコ球Ｂの払出しが規制される。また、球送り体６５が回転が許容された状態(図１４参照)では、球受部７１と球通路４５の左側内壁面との間にパチンコ球Ｂの直径以上の隙間が画成されることで、パチンコ球Ｂの払出しが可能となる。
【００５１】
(第１基板収容部)
第１基板収容部１０１は、図５、図９、図１０、図１１(ｂ)および図１３に示すように、樋部１００の後壁１００ｃに、該樋部１００に沿って設けられている。第１基板収容部１０１は、収容される第１基板１３５のサイズに合わせて、上下、左右および前後の大きさが設定されている。第１基板収容部１０１は、樋部１００の後壁１００ｃから枠状に立設された第１枠壁１１０と、該第１枠壁１１０の突出端に当接して後壁１００ｃと平行となっている第１外壁１１１とにより構成され、後壁１００ｃ、第１枠壁１１０および第１外壁１１１により画成された内部空間１１２に第１基板１３５が収容可能に構成されている。第１枠壁１１０および第１外壁１１１は、カーボンブラックを混入した合成樹脂から形成されている。これにより、第１基板収容部１０１に収容された第１基板１３５は、ケース体４１内に露出していないので電磁ソレノイド６６の励磁による磁力の影響を受け難くなっており、第１上検出手段１３６および第１下検出手段１３７の誤検出を防止し得るようになっている。ここで、実施例では、第１枠壁１１０は樋部１００に一体に形成され、第１外壁１１１は該第１枠壁１１０と別体に構成されており、第１外壁１１１は、第１枠壁１１０により形成された開口を塞ぐように該第１枠壁１１０に固定されるよう構成されている。従って、第１基板収容部１０１に収容された第１基板１３５は、該第１基板収容部１０１から取り出し不能に球通路部材４２に固定される。なお、第１外壁１１１は、内部空間１１２側が凹んでおり、該凹んだ部分に第１基板１３５が嵌り込むようになっている(図９(ｃ)、図１０参照)。
【００５２】
(第１検出口)
樋部１００の後壁１００ｃには、図９〜図１３に示すように、第１上検出手段１３６に対向する位置および第１下検出手段１３７に対向する位置に、球通路４５内と第１基板収容部１０１内とを連通するよう貫通した第１検出口(第２開口部)１１３が夫々開設されている。すなわち、第１基板収容部１０１に第１基板１３５を収容した状態において、第１上検出手段１３６の出光部(先端)に対向する位置に第１上検出口１１３ａ(１１３)が開設されると共に、第１下検出手段１３７の受光部(先端)に対向位置に第１下検出口１１３ｂ(１１３)が開設されている。第１上検出口１１３ａおよび第１下検出口１１３ｂは、砲弾型の第１上検出手段１３６および第１下検出手段１３７の直径より小径に形成されており、該第１上検出手段１３６からの光が第１上検出口の開口領域においてのみ通過すると共に、第１下検出手段１３７からの光が第１下検出口１１３ｂの開口領域においてのみ通過するよう構成されている。
【００５３】
樋部１００の後壁１００ｃには、図９〜図１１および図１３に示すように、第１上検出口１１３ａを囲むように第１基板収容部１０１内へ突出する筒状の第１上遮蔽部１１５と、第１上検出口１１３ａを囲むように第１基板収容部１０１内へ突出する筒状の第１下遮蔽部１１６とが形成されている。第１上遮蔽部１１５および第１下遮蔽部１１６は、夫々の突出端が第１基板１３５の表面１３５ａに当接するようになっており、第１上検出手段１３６からの光および第１下検出手段１３７からの光が第１基板収容部１０１の内部空間１１２内へ漏れるのを防止するようになっている。また、第１上遮蔽部１１５および第１下遮蔽部１１６は、第１基板収容部１０１内において第１基板１３５を保持する保持台として機能するようになっている。また、第１上遮蔽部１１５および第１下遮蔽部１１６の間と、第１外壁１１１における内部空間１１２に臨む壁面とに、第１基板１３５に形成された第１位置決め孔１３９に嵌合する第１位置決めボス１１７,１１７が夫々突設されており、該第１位置決めボス１１７,１１７と第１位置決め孔１３９とを嵌合させることで、第１基板１３５の位置決めおよび保持が図られるよう構成されている。
【００５４】
(第１露出口)
第１基板収容部１０１には、図９〜図１１に示すように、内部に収容した第１基板１３５の第１配線接続端子１３８に整合する第１露出口(第３開口部)１１８が開設されている。実施例では、第１枠壁１１０における右側面上部に第１露出口１１８が開設されており、該第１露出口１１８を介して第１配線接続端子１３８を第１基板収容部１０１の外部(ケース体４１内)へ露出させ得るようになっている。第１露出口１１８は、第１配線接続端子１３８の外形サイズと同じか僅かに大きい開口サイズとされており、該第１露出口１１８の開口縁と第１配線接続端子１３８との間には隙間が殆ど形成されないよう構成されている。これにより、第１露出口１１８の開口縁および第１配線接続端子１３８の間から第１基板収容部１０１内へ塵埃や異物が入り込むことを防止し得る。
【００５５】
(第２基板収容部)
第２基板収容部１０２は、図４、図５、図９〜図１１(ａ)に示すように、樋部１００の後壁１００ｃと球通路４５を挟んで対向する前壁１００ｂに、該樋部１００に沿って設けられている。第２基板収容部１０２は、収容される第２基板１４５のサイズに合わせて、上下、左右および前後の大きさが設定されている。第２基板収容部１０２は、樋部１００の前壁１００ｂから枠状に立設された第２枠壁１２０と、該第２枠壁１２０の突出端に当接して後壁１００ｃと平行となっている第２外壁１２１とにより構成され、前壁１００ｂ、第２枠壁１２０および第２外壁１２１により画成された内部空間１２２に第２基板１４５が収容可能に構成されている。第２枠壁１２０および第２外壁１２１は、カーボンブラックを混入した合成樹脂から形成されている。これにより、第２基板収容部１０２内に収容された第２基板１４５は、ケース体４１内に露出していないので電磁ソレノイド６６の励磁による磁力の影響を受け難くなっており、第２上検出手段１４６および第２下検出手段１４７の誤検出を防止し得るようになっている。ここで、実施例では、第２枠壁１２０は樋部１００に一体に形成され、第２外壁１２１は該第２枠壁１２０と別体に構成されており、第２外壁１２１は、第２枠壁１２０により形成された開口を塞ぐように該第２枠壁１２０に固定されるよう構成されている。従って、第２基板収容部１０２に収容された第２基板１４５は、該第２基板収容部１０２から取り出し不能に球通路部材４２に固定される。なお、第２外壁１２１は、内部空間１２２側が凹んでおり、該凹んだ部分に第２基板１４５が嵌り込むようになっている(図９(ｃ)、図１０参照)。
【００５６】
(第２検出口)
樋部１００の前壁１００ｂには、図９〜図１３に示すように、第２上検出手段１４６に対向する位置および第２下検出手段１４７に対向する位置に、球通路４５内と第２基板収容部１０２内とを連通するよう貫通した第２検出口(第２開口部)１２３が夫々開設されている。すなわち、第２基板収容部１０２に第２基板１４５を収容した状態において、第２上検出手段１４６の受光部(先端)に対向する位置に第２上検出口１２３ａ(１２３)が開設されると共に、第２下検出手段１４７の受光部(先端)に対向位置に第２下検出口１２３ｂ(１２３)が開設されている。そして、第２上検出口１２３ａは、第１上検出口１１３ａと前後方向で整合する位置に開設されると共に、第２下検出口１２３ｂは、第１下検出口１１３ｂと前後方向で整合する位置に開設される。更に、第２上検出口１２３ａおよび第２下検出口１２３ｂは、砲弾型の第２上検出手段１４６および第２下検出手段１４７の直径より小径に形成され、かつ対応する第１上検出口１１３ａおよび第１下検出口１１３ｂの開口サイズと同じ開口サイズに形成されている。これにより、第１上検出口１１３ａからの光が第２上検出口１２３ａを通過して第２上検出手段１４６で受光可能となると共に、第１下検出口１１３ｂからの光が第２下検出口１２３ｂを通過して第２下検出手段１４７で受光可能となるよう構成されている。
【００５７】
樋部１００の前壁１００ｂには、図９〜図１１および図１３に示すように、第２上検出口１２３ａを囲むように第２基板収容部１０２内へ突出する筒状の第２上遮蔽部１２５と、第２上検出口１２３ａを囲むように第２基板収容部１０２内へ突出する筒状の第２下遮蔽部１２６とが形成されている。第２上遮蔽部１２５および第２下遮蔽部１２６は、夫々の突出端が第２基板１４５の表面１４５ａに当接するようになっており、第２上検出手段１４６に到達した光および第２下検出手段１４７に到達した光が第２基板収容部１０２の内部空間１２２へ漏れるのを防止するようになっている。また、第２上遮蔽部１２５および第２下遮蔽部１２６は、第２基板収容部１０２内において第２基板１４５を保持する保持台として機能するようになっている。また、第２上遮蔽部１２５と第２下遮蔽部１２６との間に、第２上遮蔽部１２５および第２下者壁部１２６の間と、第２基板１４５に形成された第２位置決め孔１４９に嵌合する第２位置決めボス１２７が夫々突設されており、該第２位置決めボス１２７,１２７と第２位置決め孔１４９とを嵌合させることで、第２基板１４５の位置決めおよび保持が図られるよう構成されている。
【００５８】
(第２露出口)
第２基板収容部１０２には、図９〜図１１に示すように、内部に収容した第２基板１４５の第２配線接続端子１４８に整合する第２露出口(第３開口部)１２８が開設されている。実施例では、第２枠壁１２０における右側面に第２露出口１２８が開設されており、該第２露出口１２８を介して第２配線接続端子１４８を第２基板収容部１０２の外部(ケース体４１内)へ露出させ得るようになっている。第２露出口１２８は、第２配線接続端子１４８の外形サイズと同じか僅かに大きい開口サイズとされており、該第２露出口１２８の開口縁と第２配線接続端子１４８との間には隙間が殆ど形成されないよう構成されている。これにより、第２露出口１２８の開口縁と第２配線接続端子１４８との間から第２基板収容部１０２内へ塵埃や異物が入り込むことを防止し得る。
【００５９】
(第１保持部)
第１保持部１０３は、図４、図９〜図１１に示すように、樋部１００の壁部に一体に形成されている。第１保持部１０３は、樋部１００の右壁１００ａの外面上部から右方へ延出して本体部材５０に形成された固定用支柱５６の上方に位置する基部１３０と、該基部１３０の前縁から下方へ延在して該固定用支柱５６の前方に位置する係止部１３１とを備えている。そして、係止部１３１には、前後に貫通する係止孔１３２が開設されている。この係止孔１３２は、固定用支柱５６の前端に形成された前述のボス５６ａが嵌合する開口形状に形成されている。従って、球通路部材４２は、係止孔１３２とボス５６ａとを嵌合させることで、本体部材５０に対して位置決めされると共に固定保持されるようになっている。
【００６０】
(第２保持部)
第２保持部１０４は、図４、図９および図１０に示すように、樋部１００の壁部に一体に形成されている。第２保持部１０４は、樋部１００の右壁１００ａの外面下部から右方へ延出して、本体部材５０に配設された球送り体６５の前方に位置し、延出端である右端が、位置決め用支柱５８の左外面に当接する長さに形成されている。従って、第２保持部１０４は、位置決め用支柱５８に当接した状態となることで、球通路部材４２が球送り体６５側へずれることを防止可能であり、該球送り体６５と球通路部材４２との接触を回避するよう機能する。
【００６１】
(実施例の作用)
次に、前述のように構成された球払出装置４０を備えた実施例のパチンコ機１０の作用につき説明する。
【００６２】
(球払出ユニットの組立てについて)
先ず、球払出作動ユニット４３の球送り体６５を除く構成部材を予め組み立てる。すなわち、図８に示すように、支持部材６８の固定部８０には電磁ソレノイド６６を予め固定すると共に、揺動部材６７の支軸支持部９０,９０に揺動支軸９５を予め固定する。そして、揺動部材６７に固定した揺動支軸９５の両端部分を、夫々の軸受部８５,８５の支持孔８６,８６に対しスリット９７,８７を介してセットしたもとで、夫々の軸受部材８８,８８を該支持孔８６,８６に嵌合して固定する。ここで、前方の軸受部８５の支持孔８６に対しては、前側から軸受部材８８を嵌合させることで、当該軸受部材８８に揺動支軸９５の前端部分が挿入されて軸受部８５に支持される。また、後方の軸受部８５の支持孔８６に対しては、後側から軸受部材８８を嵌合させることで、当該軸受部材８８に揺動支軸９５の後端部分が挿入されて軸受部８５に支持される。これにより、揺動部材６７が、揺動支軸９５を介して、支持部材６８の支持部８１に揺動可能に取り付けられる。そして、支持部材６８の第１掛止部８３に第１フック部９８を掛止させると共に、揺動部材６７の第２掛止部９３に第２フック部９９を掛止させることで、引張りコイルバネ６９を支持部材６８と揺動部材６７との間に架設する。
【００６３】
また、図１１に示すように、別途成形した球通路部材４２の第１基板収容部１０１内に、第１上検出手段１３６、第１下検出手段１３７および第１配線接続端子１３８を実装した第１基板１３５を収容すると共に、第２基板収容部１０２内に、第２上検出手段１４６、第２下検出手段１４７および第２配線接続端子１４８を実装した第２基板１４５を収容する。これにより、第１基板１３５の第１上検出手段１３６が、第１上遮蔽部１１５内に収容されると共に第１上検出口１１３ａに臨むと共に、第１下検出手段１３７が、第１下遮蔽部１１６内に収容されると共に第１下検出口１１３ｂに臨む。また、第２基板１４５の第２上検出手段１４６が、第２上遮蔽部１２５内に収容されると共に第２上検出口１２３ａに臨むと共に、第２下検出手段１４７が、第２下遮蔽部１２６内に収容されると共に第２下検出口１２３ｂに臨む。そして、第１基板１３５の第１上検出手段１３６および第２基板１４５の第２上検出手段１４６が、第１上検出口１１３ａおよび第２上検出口１２３ａを通して球通路４５を挟んで対向配置されると共に、第１基板１３５の第１下検出手段１３７および第２基板１４５の第２下検出手段１４７が、第１下検出口１１３ｂおよび第２下検出口１２３ｂを通して球通路４５を挟んで対向配置される。従って、第１基板１３５および第２基板１４５は、第１基板収容部１０１および第２基板収容部１０２の夫々から取り出し不能に球通路部材４２に固定されると共に、球通路部材４２と第１基板１３５および第２基板１４５とを１つのユニット部材として取り扱うことができて部品管理が容易になる。
【００６４】
そして、図４および図５に示すように、電磁ソレノイド６６を固定すると共に揺動部材６７および引張りコイルバネ６９を取り付けた支持部材６８を、保持リブ５５により本体部材５０にセットする。また、球送り体６５に挿通した支軸７３を取付ボス７２の軸支孔７２ａに差し込むことで、該支軸７３に支持された球送り体６５を本体部材５０に回転自在に配設する。更に、第１基板１３５および第２基板１４５を夫々収容した球通路部材４２を、本体部材５０にセットする。そして、本体部材５０に対して蓋部材５１を固定ネジ５２により固定することで、球払出装置４０の組立てが完了する。
【００６５】
組立て完了した球払出装置４０では、図１２に示すように、支持部材６８がケース体４１における本体部材５０の底壁５０ａおよび蓋部材５１の頂壁５１ａで前後から挟持されると共に、軸受部材８８,８８のフランジ部８８ａ,８８ａも底壁５０ａおよび頂壁５１ａに当接することで、球払出作動ユニット４３がケース体４１内で安定的に保持されている。また、図１２に示すように、上係合突縁１０５ａがケース体４１における球入口４１ａの開口縁に嵌合し、下係合突縁１０５ｂがケース体４１における球出口４１ｂの開口縁に嵌合すると共に、第１保持部１０３が固定用支柱５６のボス５６ａに嵌合し、第２保持部１０３が位置決め用支柱５８に当接することで、球通路部材４２がケース体４１内で安定的に保持されている。
【００６６】
また、組立て後の球払出装置４０の球払出作動ユニット４３は、図１２に示すように、は、電磁ソレノイド６６の励磁部６６ｂが励磁されていないことで、引張りコイルバネ６９の付勢力により、揺動部材６７は当接部６３に当接して係止姿勢に保持されている。これにより、球送り体６５は、係止姿勢に保持された揺動部材６７の当接縁６７ａに区画爪部７０が係止することで、回転が規制された状態となっている。
【００６７】
球払出装置４０は、図２に示す如く、球通路ユニット２１の設置部２１ｂに組付けられる。設置部２１ｂに組付けられた球払出装置４０は、球入口４１ａが球送出路部２１ａの下端に整合すると共に、球出口４１ｂが球通出案内部２０の上端に整合している。また、球払出装置４０の電磁ソレノイド６６、第１基板１３５および第２基板１４５は、図示省略した配線により、払出制御基板２３に電気的に接続される。
【００６８】
パチンコ機１０は、パチンコ遊技に先立って貸球操作が行われると払出制御基板２３に信号が入力され、これに基いて該払出制御基板２３からの球払出し信号により球払出装置４０が作動制御されることにより、球タンク１９および球通路ユニット２１の球送出路部２１ａ内に貯留されているパチンコ球Ｂが、貸球として球通出案内部２０から上球皿１５側へ払出される。また、パチンコ機１０は、パチンコ遊技中に、操作ハンドル１７の操作により遊技盤１４内へ打出されたパチンコ球Ｂが該遊技盤１４の遊技領域に配設された各種入賞装置に入賞すると、該入賞装置に配設された入賞球検知センサがパチンコ球Ｂを検知すると、これに基いて該払出制御基板２３からの球払出し信号により球払出装置４０が作動制御されることにより、球タンク１９および球通路ユニット２１の球送出路部２１ａ内に貯留されているパチンコ球Ｂが、賞球として球通出案内部２０から上球皿１５側へ払出される。
【００６９】
実施例の球払出装置４０は、払出制御基板２３からの球払出し信号が入力されない場合に、図１２に示すように、電磁ソレノイド６６に通電されないので該電磁ソレノイド６６の励磁部６６に磁力が発生しない。このため、揺動部材６７が引張りコイルバネ６９の付勢力により係止姿勢に保持されるので、球送り体６５の区画爪部７０に該揺動部材６７の当接縁６７ａが係止して該球送り体６５が回転規制される。これにより、球入口４１ａから球通路４５内に供給されたパチンコ球Ｂは、回転規制された球送り体６５の区画爪部７０で受け止められ、球通路４５内に停止保持される。そして、球送り体６５で停止保持されたパチンコ球Ｂがある場合には、検出手段４４における第１上検出手段１３６からの光が、該パチンコ球Ｂで遮られて第２上検出手段１４６で受光されないので、球通路４５内にパチンコ球Ｂがある球有検出条件が成立する。
【００７０】
球有検出条件が成立しているもとで、払出制御基板２３から球払出し信号が球払出装置４０に入力されると、導線７６に通電されて電磁ソレノイド６６のコイル部６６ａが励磁し、励磁部６６ｂに磁力が発生する。励磁部６６ｂに磁力が発生すると、揺動部材６７は、軸受部８５,８５に軸受部材８８,８８を介して支持された揺動支軸９５を中心として、係止姿勢から係止解除姿勢に向けて揺動する。そして、図１４に示すように、揺動部材６７に設けられた係止片９２,９２が位置決め用支柱５８に設けられた係止部６０,６０に当接して当該揺動部材６７が係止解除姿勢となると、揺動部材６７の当接縁６７ａと球送り体６５の区画爪部７０との係止が解除され、該球送り体６５の回転が許容される。この結果、球送り体６５は、区画爪部７０に支持されていたパチンコ球Ｂを球受部７１に受入れながら回転して、該球受部７１が球通路４５の下方に向くことで当該パチンコ球Ｂを払出すようになる。
【００７１】
また、球送り体６５の回転により払出されるパチンコ球Ｂが、検出手段４４における第１下検出手段１３７からの光を遮ることで、第２下検出手段１４７が第１下検出手段１３７からの光を受光しない状態となって球払出し検出条件が成立する。この球払出し検出条件が成立と導線７６に対する通電が停止され、電磁ソレノイド６６のコイル部６６ａの消磁により励磁部６６ｂに磁力が発生しなくなる。従って揺動部材６７は、引張りコイルバネ６９の付勢力により、軸受部８５,８５に軸受部材８８,８８を介して支持された揺動支軸９５を中心として、係止解除姿勢から係止姿勢に向けて揺動する。そして、図１５に示すように、揺動部材６７が当接部６３に当接して係止姿勢となり、揺動部材６７の当接縁６７ａが球送り体６５の区画爪部７０に係止して、該球送り体６５の回転が規制される。この結果、球送り体６５は、区画爪部７０で次のパチンコ球Ｂを支持する。
【００７２】
前述した動作が繰返され、決められた所定個数のパチンコ球Ｂの払出しがカウント検出されると、電磁ソレノイド６６が消磁状態に保持され、球払出装置４０による１回分の球払出し作動が終了する。
【００７３】
実施例のパチンコ機１０に配設された球払出装置４０によれば、球払出作動ユニット４３では、支持部材６８に設けた軸受部８５,８５に、揺動部材６７に設けられた揺動支軸９５を挿通して支持させるよう構成したことで、揺動部材６７が支持部材６８に対してがたつきなく支持される。これにより、電磁ソレノイド６６の励磁・消磁制御に伴って揺動部材６７の揺動変位が繰返されても、支持部材６８と該揺動部材６７との擦れが生じないので、揺動部材６７の安定した揺動変位が長期に亘って維持可能である。また、支持部材６８および揺動部材６７が擦れないので鉄粉が生じることがなく、電磁ソレノイド６６の励磁部６６ｂやコイル部６６ａに該鉄粉が付着することによる該電磁ソレノイド６６の作動不良や故障の発生も防止可能である。
【００７４】
そして、支持部材６８に設けた軸受部８５,８５の支持孔８６,８６に嵌合して固定される軸受部材８８,８８に、揺動部材６７に対して支軸支持部９０,９０により支持した揺動支軸９５の両端を挿入した構成となっていることで、支持部材６８の支持部８１に対して揺動部材６７を安定して支持させることができると共に、揺動部材６７のスムーズな揺動変位が可能となる。
【００７５】
また、揺動部材６７に係止片９２,９２を設けると共に、ケース体４１に該係止片９２,９２が係止可能な係止部６０,６０を設け、電磁ソレノイド６６の励磁に伴って励磁部６６ｂに発生した磁力により揺動部材６７が該励磁部６６ｂに近接するよう揺動変位する際に、該揺動部材６７が励磁部６６ｂに当接する前に夫々の係止片９２,９２が夫々の係止部６０,６０に係脱可能に係止した状態を係止解除姿勢としたことで、当該揺動部材６７が励磁部６６ｂに勢いよく当接することが回避される。これにより、揺動部材６７と励磁部６６ｂとの衝突により電磁ソレノイド６６が振動することが回避され、該電磁ソレノイド６６のコイル部６６ａをなす導線７６が断線し難くすることができる。また、揺動部材６７と励磁部６６ａとの衝突による異音の発生も防止し得る。
【００７６】
揺動部材６７の係止片８２,８２は、球送り体６５の区画爪部７０に係合する当接縁７０ａを挟んだ両側に設けるようにしたことで、夫々の係止片８２,８２は球送り体６５に隣接して位置するようになり、夫々の係止片８２,８２が夫々の係止部６０,６０に係合した係止解除姿勢では、揺動部材６７の当接縁６７ａが球送り体６５から適切に離間した状態で該揺動部材６７を保持し得る。これにより、夫々の係止片８２,８２が夫々の係止部６０,６０に係合して揺動部材６７が係止解除姿勢となった際に、球送り体６５が適切に回転可能な状態となり、球通路４５内のパチンコ球Ｂのスムーズな払出しが可能となる。
【００７７】
また、電磁ソレノイド６６のコイル部６６ｂは、透明または半透明のカバー部材７７により被覆されているので、該コイル部６６ｂがカバー部材７７により保護される。また、コイル部６６ａに装着したカバー部材７７を取り除くことなく、該コイル部６６ａの導線７６の断線有無を容易に確認することができ、球払出装置４０のメンテナンス作業が容易である。
【００７８】
そして、実施例の球払出装置４０では、検出手段４４を構成する第１上検出手段１３６および第１下検出手段１３７と、配線が接続される第１配線接続端子１３８とが設けられた第１基板１３５と、検出手段４４を構成する第２上検出手段１４６および第２下検出手段１４７と、配線が接続される第２配線接続端子１４８とが設けられた第２基板１４５とを、球通路４５が画成された球通路部材４２に設けられた第１基板収容部１０１および第２基板収容部１０２に夫々収容したもとでケース体４１に収容するよう構成した。これにより、球払出装置４０の取扱い時やパチンコ機１０の設置部２１ｂへの該球払出装置４０の設置作業時に、第１基板１３５または第２基板１４５が損傷することを防止し得る。また、第１基板１３５および第２基板１４５がケース体４１の外部に露出していないので、該第１基板１３５および第２基板１４５に塵埃が付着し難いと共に、該第１基板１３５および第２基板１４５に対する不正行為を防止し得る。
【００７９】
また、第１基板収容部１０１を画成する第１枠壁１１０および第１外壁１１１および第２基板収容部１０２を画成する第２枠壁１２０および第２外壁１２１が、カーボンブラックを混入した合成樹脂から形成されており、第１基板収容部１０１に収容された第１基板１３５および第２基板収容部１０２に収容された第２基板１４５が、ケース体４１内に配設された電磁ソレノイド６６に対し露出しないので、第１基板１３５および第２基板１４５において該電磁ソレノイド６６の作動に伴うノイズが発生し難くなり、検出手段４４の誤検出を防止し得る。また、第１基板収容部１０１に収容された第１基板１３５および第２基板収容部１０２に収容された第２基板１４５は、当該パチンコ機１０に搭載された電子機器(ケース体４１の外部に配設された電子機器)からの影響も受け難いので、該電子機器の作動に伴うノイズも発生し難くなり、検出手段４４の誤検出を防止し得る。
【００８０】
また、第１基板１３５および第２基板１４５を第１基板収容部１０１および第２基板収容部１０２に夫々収容した状態で球通路部材４２をケース体４１にセットするようにしたので、第１基板１３５および第２基板１４５をケース体４１にセットする手間が省かれ、球払出装置４０の組立作業が容易となる。また、球通路部材４２をケース体４１にセットする前に、第１基板収容部１０１へ第１基板１３５を収容することで、第１上検出口１１３ａを介して第１上検出手段１３６が球通路４５に適切に臨んでいるか否かの確認や、第１下検出口１１３ｂを介して第１下検出手段１３７が球通路４５に適切に臨んでいるか否かの確認を、球送り体配設口１０７を介して行うことができる。同様に、球通路部材４２をケース体４１にセットする前に、第２基板収容部１０２へ第２基板１４５を収容することで、第２上検出口１２３ａを介して第２上検出手段１４６が球通路４５に適切に臨んでいるか否かの確認や、第２下検出口１２３ｂを介して第２下検出手段１４７が球通路４５に適切に臨んでいるか否かの確認を、球送り体配設口１０７を介して行うことができる。すなわち、球通路部材４２をケース体４１に取り付ける前に、第１基板１３５および第２基板１４５の配設状態が確認可能であり、第１基板１３５または第２基板１４５の組付けミスを原因とした検出手段４４の検知不良の発生を防止し得る。また、球通路部材４２と第１基板１３５および第２基板１４５とがユニット化されて部品管理が容易となる。
【００８１】
また、球通路部材４２をケース体４１にセットする前に、第１露出口１１８を介して第１配線接続端子１３８を外方へ臨ませ得ると共に、第２露出口１２８を介して第２配線接続端子１４８を外方への臨ませ得る。そして、第１基板１３５の第１配線接続端子１３８が第１露出口１１８を介して外方へ露出しているので、該第１配線接続端子１３８に対する配線の接続が容易であり、第２基板１４５の第２配線接続端子１４８が第２露出口１２８を介して外方へ露出しているので、該第２配線接続端子１４８に対する配線の接続が容易である。更に、第１露出口１１８と第１配線接続端子１３８との間に隙間が殆ど形成されないので、該第１露出口１１８を介して異物や塵埃が第１基板収容部１０１内へ入ることを防止し得ると共に、第２露出口１２８と第２配線接続端子１４８との間に隙間が殆ど形成されないので、該第２露出口１２８を介して異物や塵埃が第２基板収容部１０２内へ入ることを防止し得る。
【００８２】
更に、球通路部材４２が導電性樹脂から形成されているので、球払出装置４０の作動により球通路４５内に供給されたパチンコ球Ｂの払出しを行うに際して当該球通路部材４２に静電気が帯電することが防止され、第１基板１３５および第２基板１４５が静電気により影響を受けることを防止し得る。
【００８３】
更に、球通路部材４２は、樋部１００の壁部に球送り体配設口１０７を設けてあるので、球送り体６５をケース体４１の本体部材５０に配設すると共に、該本体部材５０に当該球通路部材４２を配設することで、該球送り体６５が球送り体配設口１０７を介して球通路４５内へ臨ませることができる。
【００８４】
〔変更例〕
本発明に係る遊技機は、実施例に例示の形態に限らず種々の変更が可能である。
（１）揺動部材に軸受部を配設すると共に、支持部材に、軸受部に挿入して支持される支軸部を設けて、支軸部を軸受部を支持することで揺動部材が支持部材に揺動可能に支持されるよう構成してもよい。
（２）揺動部材または支持部材のどちらか一方に設けられる支軸部と、揺動部材または支持部材の他方に設けられる支軸支持部とを、一列に整列させた状態としたもとで、支軸部を軸受部および支軸支持部に挿通させて支持部材に揺動部材を揺動可能に配設してもよい。
（３）揺動部材に設けられる係止片は、球送り体を挟んだ両側に設けたものに限らず、球送り体の何れか一方の側に１つだけ設けてもよい。
（４）揺動部材に設けられる係止片は、球送り体から離れた位置、すなわち該揺動部材における球送り体に係脱可能に係止する当接縁が設けられた端縁とは異なる端縁に設けるようにしてもよい。
（５）球払出作動ユニットは、電磁ソレノイドの非励磁(消磁)時において揺動部材が該電磁ソレノイドの励磁部に近接した係止解除姿勢に付勢手段の付勢力により保持され、電磁ソレノイドの励磁時において揺動部材が励磁部から離間するよう揺動して係止姿勢となるよう構成されたものであってもよい。
（６）電磁作動ユニットは、実施例で例示した球払出装置に限らず、遊技盤に配設される入賞装置の作動ユニットや可動演出装置の作動ユニットとしても実施可能である。
（７）第１基板収容部は、第１枠壁および第１外壁が一体に形成されて、第１基板を収容したもとで樋部に取付けて固定するよう構成したものであってもよい。また、第２基板収容部は、第２枠壁および第２外壁が一体に形成されて、第２基板を収容したもとで樋部に取付けて固定するよう構成したものであってもよい。
（８）第１基板収容部および第２基板収容部は、枠壁および外壁が樋部と一体に形成されたものであってもよい。このような形態では、球通路部材を成形する成形型に第１基板および第２基板をセットして、インモールド成形技術により、第１基板収容部に第１基板が収容されると共に第２基板収容部に第２基板が収容された状態で球通路部材を成形することも可能である。従って、球通路部材の成形工程と、第１基板および第２基板の配設工程とを同時に行うことができ、製造工数を減らして製造コストを抑えることが可能である。
（９）第１基板収容部および第２基板収容部は、該基板収容部を画成する壁部の内面または外面に、金属板を配設するか金属めっきを施すことで、第１基板収容部に収容した第１基板および第２基板収容部に収容した第２基板に、電磁ソレノイドの作動やケース体の外部に配設された電子機器の作動に伴うノイズが発生することを防止するようにしてもよい。
（１０）実施例では、遊技機としてのパチンコ機を示したが、遊技機はパチンコ機に限られるものではなく、アレンジボール機であってもよい。
【符号の説明】
【００８５】
４１ ケース体，４３ 球払出作動ユニット(電磁作動ユニット)
６０ 係止部(第２係止部)，６６ 電磁ソレノイド，６６ａ コイル部，６６ｂ 励磁部
６７ 揺動部材，６８ 支持部材，６９ 引張りコイルバネ(付勢部材)，８５ 軸受部
７７ カバー部材，８８ 軸受部材(軸受装着部)，９０ 支軸支持部
９２ 係止片(第１係止部)，９５ 揺動支軸(支軸部)
【図１】
2015208417.tif 000003
【図２】
2015208417.tif 000004
【図３】
2015208417.tif 000005
【図４】
2015208417.tif 000006
【図５】
2015208417.tif 000007
【図６】
2015208417.tif 000008
【図７】
2015208417.tif 000009
【図８】
2015208417.tif 000010
【図９】
2015208417.tif 000011
【図１０】
2015208417.tif 000012
【図１１】
2015208417.tif 000013
【図１２】
2015208417.tif 000014
【図１３】
2015208417.tif 000015
【図１４】
2015208417.tif 000016
【図１５】
2015208417.tif 000017